(57)【要約】【課題】  ホースを介して湯水を混合する水栓本体と接続されるシャワーヘッドを着脱自在に支持し、内部をホースが挿通するとともにグーズネック形状に形成された吐水管において、シャワーヘッドの出し入れ操作をする際のホースの摺動性を向上させる。【解決手段】  ホース１８を介して湯水を混合する水栓本体２と接続されるシャワーヘッド５１を着脱自在に支持し、内部をホース１８が挿通するとともに、グーズネック形状に形成された吐水管３１において、内周面にホース１８と摺接する保護材４１を設けた。【選択図】  図２
2006183388.tif 000002
【特許請求の範囲】
【請求項１】
ホースを介して湯水を混合する水栓本体と接続されるシャワーヘッドを着脱自在に支持し、内部をホースが挿通するとともに、グーズネック形状に形成された吐水管において、内周面にホースと摺接する保護材を設けたことを特徴とする吐水管。
【請求項２】
前記保護材は屈曲性，柔軟性に富んだ管状としたことを特徴とする請求項１記載の吐水管。
【発明の詳細な説明】
【技術分野】
【０００１】
この発明は、流し台や洗面化粧台で使用される混合水栓に用いられ、ホースを接続したままシャワーヘッドを着脱自在に支持する吐水管に関するものである。
【背景技術】
【０００２】
従来、流し台，洗面化粧台等で使用される混合水栓に用いられ、ホースを接続したままシャワーヘッドを引き出し自在に支持する吐水管として公知のものに特許文献１のものがある。この吐水管は逆Ｕ字状のグーズネック形状で、内部にホースが摺動自在に挿入されており、ホースの一端には湯水を吐水する吐水部が接続され、他端には湯水を混合する弁機構が収容された水栓本体が接続されている。そして、この吐水部は吐水管の先端に着脱自在に支持されている。
【０００３】
【特許文献１】特開２００３−２９３４１２号公報
【０００４】
この特許文献１では、吐水管は逆Ｕ字状のグーズネック形状であることから、吐水部を吐水管から出し入れする際に、吐水管の頂上部で吐水管の内周面とホースの外周面とが必ず接触するため、ホースの摺動性が低下するとともに、吐水管とホースとの摺接により大きな音が発生してしまい、使用者を不快にさせるものであった。またこのとき、吐水部を無理に出し入れすると、ホースや吐水管そのものを傷つけてしまうおそれがあった。
【発明の開示】
【発明が解決しようとする課題】
【０００５】
この発明は、このような従来の技術に存在する問題点に着目してなされたものであり、その目的は、ホースを介して湯水を混合する水栓本体と接続されるシャワーヘッドを着脱自在に支持し、内部をホースが挿通するとともにグーズネック形状に形成された吐水管において、シャワーヘッドの出し入れ操作をする際のホースの摺動性を向上させることである。
【課題を解決するための手段】
【０００６】
上記目的を達成するため、本発明の請求項１では、ホースを介して湯水を混合する水栓本体と接続されるシャワーヘッドを着脱自在に支持し、内部をホースが挿通するとともに、グーズネック形状に形成された吐水管において、内周面にホースと摺接する保護材を設けたものである。
【０００７】
請求項２に記載の発明では請求項１の吐水管において、前記保護材は屈曲性，柔軟性に富んだ管状としたものである。
【発明の効果】
【０００８】
本発明の請求項１では、グーズネック形状である吐水管の内周面に保護材を設けたので、シャワーヘッドを吐水管から出し入れする際に発生する摺動音を低減させることができるとともに、ホースの摺動性を向上させることができる。
【０００９】
本発明の請求項２では、保護材は屈曲性に富んだ管状としたので、逆Ｕ字状のグーズネック形状のような曲げ半径の小さい吐水管であっても容易に挿入することができる。そのため、吐水管を含む混合水栓のデザインの自由度を向上させることができる。
【発明を実施するための最良の形態】
【００１０】
以下、本発明の実施例を図に基づいて詳細に説明する。
【実施例１】
【００１１】
図１は、本発明の吐水管を用いた混合水栓１がキッチン等のカウンターＡに取り付けられた状態である。混合水栓１は、カウンターＡに設置され弁機構８が収容された水栓本体２と、水栓本体２の上部に回転自在に装着された吐水管３１とを備え、吐水管３１及び水栓本体２の内部にはホース１８が挿通され、ホース１８の一端には吐水管３１の先端に着脱自在に支持されたシャワーヘッド５１が接続され、他端には弁機構８と連通する供給管４が接続されている。
【００１２】
前記水栓本体２は略円錐状に形成され、図２に示すように、下部底面には内部に流路３が形成された供給管４が固定されている。そして、混合水栓１をカウンターＡに穿設された取付孔Ｂの上部に配置した状態で、取付孔Ｂに上部から貫通した供給管４に対し、カウンターＡの下部から座金５を挿通し、固定具６を供給管４の外周に形成された雄ねじ部４ａに螺着することで、水栓本体２と座金５とによりカウンターＡを挟着し、混合水栓１はカウンターＡに取り付けられるものである。また、供給管４にはカウンターＡの下部でホース１８が接続され、このホース１８は水栓本体２の内部を挿通している。なお、水栓本体２は下部に給水管７，給湯管８が接続されるとともに、図３に示すように中央よりやや上方には弁機構９が収容されている。
【００１３】
前記弁機構９は、略円盤状でセラミック製の固定板１０と、この固定板１０と同一材質からなる可動板１４とを上下に水密的に重ね合わせて構成される。図４に示すように、固定板１０は両面に貫通する略円弧状の給水孔１１，給湯孔１２，及び略扇形状の吐出孔１３が穿設され、給水孔１０は給水管７に、給湯孔１２は給湯管８に、吐出孔１３は供給管８にそれぞれ連通している。可動板１４は固定板１０と比較してひと回り外径が小さく、両面に貫通して混合室１５が形成され、底面側の摺接面１４ａを固定板１０の上面１０ａに重ね合わせて摺動させることで、混合室１５は前記給水孔１１又は給湯孔１２のどちらか一方、或いは両方と連通して、水，湯を前記吐出孔１３へ供給するものである。前記可動板１４の混合室１５には円盤型のスライダー１６が水密的に嵌合され、このスライダー１６にはアーム１７が係合されており、このアーム１７は操作部２１と連繋している。
【００１４】
図３において操作部２１を左右方向に操作したときには、アーム１７を介して可動板１４が図中の上下方向に直線的に移動される。この移動により、固定板１０の給水孔１１及び給湯孔１２に対する可動板１４の混合室１５の開口面積が変更されて、湯水の吐出流量が調整されるようになっている。したがって固定板１０と可動板１４とにより流体としての水及び湯の流量が制御される。また、操作部２１を前後方向へ回動操作したときには、アーム１７を介して可動板１４が回動される。この回動により、固定板１０の給水孔１１及び給湯孔１２に対する混合室１５の開口面積が変更されて、水と湯との混合比が調節される。操作部２１により流量，温度が調節された湯水は、供給管４内の流路３及びホース１８を経てシャワーヘッド５１より吐水される。
【００１５】
前記吐水管３１は略逆Ｕ字状のグーズネック形状で、その基端は水栓本体２の上部に対して水平方向に回転自在に装着されている。また、吐水管３１の内部には供給管４に接続されたホース１８が挿通され、このホース１８にはシャワーヘッド５１が接続され、吐水管３１の先端に着脱自在に支持されている。なお、この吐水管３１の内周面には後述する保護材４１が装着されている。
【００１６】
前記シャワーヘッド５１は略円筒形状で、ホース１８を介して供給管４に接続され、吐水管３１の先端に着脱自在に支持されている。また、シャワーヘッド５１は弁機構９で調節された湯水を直流形態で吐水する吐水口５２と散水形態で吐水する散水孔53とを備えており、先端に設けられたつまみ５４を操作することにより、吐水口５２から吐水される湯水は直流吐水形態または吐水形態の何れか一方の形態で吐水される。
【００１７】
前記保護材４１は６-ナイロン，ポリエチレン等の材質から形成され、湾曲した箇所にも好適に用いられるような屈曲性，柔軟性に富んだ管状であり、例えばスパイラル管，スリット管，コルゲート管などである。この保護材４１を吐水管に装着するには、吐水管３１の基端側にブッシュ３２が結合された状態で保護材４１を吐水管３１の先端側より挿入する。そして、シャワーヘッド５１を支持する支持部材３３を吐水管３１の先端にビス止めすることにより、保護材４１は吐水管３１の内周面に装着される。この際、保護材４１は屈曲性，柔軟性に富んでいることから、吐水管３１内の湾曲した箇所をスムーズに移動することができる。
【００１８】
例えば、混合水栓１を使用してシンクＣ内の洗浄を行う場合、操作部２１を操作して吐水する湯水を所望の温度及び流量に調節した後、シャワーヘッド５１を吐水管３１から引き出して使用する。この際、ホース１８は吐水管３１の内周面に沿って移動するが、吐水管３１の内周面に装着された保護材４１によって、ホース１８が吐水管３１の内周面に摺接する際に発生する摺動音を低減させることができるとともに、ホース１８を吐水管からスムーズに引き出すことができる。また、作業終了後、シャワーヘッド５１を吐水管３１の先端へ戻す際も同様に、ホース１８が吐水管３１の内周面に摺接する際に発生する摺動音を低減させることができるとともに、ホース１８をスムーズに戻すことができる。
【００１９】
このように本発明では、シャワーヘッド５１を吐水管３１から出し入れする際、ホース１８は吐水管３１の内周面に沿って移動するが、吐水管３１の内周面に設けられた保護材４１によって、ホース１８が吐水管３１の内周面に摺接する際に発生する摺動音を低減させることができるとともに、ホース１８の摺動性が向上する。また、保護材４１は屈曲性，柔軟性に富んだ管状としたので、逆Ｕ字状のグーズネック形状のような曲げ半径の小さい吐水管に対しても容易に挿入することができ、吐水管を含む混合水栓のデザインの自由度を向上させることができる。
なお、本実施例では吐水管と水栓本体とが一体に形成された例を基に説明したが、吐水管と水栓本体とは別体に形成されていてもよい。
【図面の簡単な説明】
【００２０】
【図１】本発明の混合水栓をカウンターに取り付けた状態の説明図である。
【図２】混合水栓の側断面図である。
【図３】図２におけるＸ−Ｘ線断面図である。
【図４】弁機構の説明図である。
【符号の説明】
【００２１】
２    ：水栓本体
１８  ：ホース
３１  ：吐水管
４１  ：保護材
５１  ：シャワーヘッド
【図１】
2006183388.tif 000003
【図２】
2006183388.tif 000004
【図３】
2006183388.tif 000005
【図４】
2006183388.tif 000006